(57)【要約】【課題】居住者が介護を必要としない期間はトイレの存在を意識しにくく、居住者に介護が必要な期間は居住者の介護がしやすくなるような機能を備えた建物を提供することを目的とする。【解決手段】平面視略Ｌ字状に形成された水廻り設備室１０の入隅部１１を形成する壁１２，１３のうち、一方の壁１２には第１開口部１２ａが形成され、他方の壁１３には第２開口部１３ａが形成されており、第２開口部１３ａには、この第２開口部１３ａを閉塞して壁として機能するとともに、居住者の介護の必要に応じて、該第２開口部１３ａの閉塞状態を解除可能に設定された閉塞手段１が設けられている。これにより、居住者が介護を必要としない期間は、閉塞手段によって第２開口部を閉塞して壁として用いることができ、居住者に介護が必要な期間には、第２開口部を開放できるようにして出入口として用いることが可能となる。【選択図】図１
2010159600.tif 000002
【特許請求の範囲】
【請求項１】
平面視略Ｌ字状に形成された水廻り設備室と、この水廻り設備室の入隅部側に隣接する寝室とを備えており、
前記水廻り設備室は、この平面視略Ｌ字状の水廻り設備室の角部付近に位置する洗面所と、この洗面所に隣接するとともに前記水廻り設備室の一端側に位置する浴室と、この洗面所に隣接するとともに前記水廻り設備室の他端側に位置するトイレとを有しており、
前記水廻り設備室の入隅部を形成する壁のうち、一方の壁には前記洗面所と寝室とを連通する第１開口部が形成されており、他方の壁には前記トイレと寝室とを連通するとともに、該他方の壁が立設される床面から天井までの高さに設定された第２開口部が形成されており、
前記第２開口部には、この第２開口部を閉塞して壁として機能するとともに、居住者の介護の必要に応じて、該第２開口部の閉塞状態を解除可能に設定された閉塞手段が設けられていることを特徴とする建物。
【請求項２】
請求項１に記載の建物において、
前記閉塞手段は、前記他方の壁が立設される床面から天井付近までの高さに設定されるとともに、前記第２開口部を開閉するための引き戸であることを特徴とする建物。
【請求項３】
請求項１に記載の建物において、
前記閉塞手段は、前記第２開口部を閉塞するようにして前記他方の壁に連続して立設配置される補助間仕切壁であることを特徴とする建物。
【請求項４】
請求項１に記載の建物において、
前記閉塞手段は、前記第２開口部を閉塞するようにして前記他方の壁に連続して立設配置される収納棚であることを特徴とする建物。
【請求項５】
請求項１〜４のいずれか一項に記載の建物において、
前記第２開口部は、前記他方の壁の幅方向の左側または右側に形成されていることを特徴とする建物。
【請求項６】
請求項１〜４のいずれか一項に記載の建物において、
前記第２開口部の開口面積は、前記他方の壁の寝室側面の面積と略等しくなるように設定されていることを特徴とする建物。
【請求項７】
請求項１〜６のいずれか一項に記載の建物において、
前記トイレには、使用者が身体の側部を前記他方の壁に向けて着座可能な便器、または、使用者が前記他方の壁に向かって着座可能な便器が設置されていることを特徴とする建物。
【請求項８】
請求項１〜７のいずれか一項に記載の建物において、
前記洗面所とトイレとの間には、これら洗面所とトイレとを連通する第３開口部が形成された間仕切壁が立設されており、この間仕切壁は、前記一方の壁の延長線上に配置されていることを特徴とする建物。
【請求項９】
請求項１〜８のいずれか一項に記載の建物において、
外壁の一部が他の外壁よりも室内側に後退することによって形成されるとともに屋外に面する凹部を備えており、
この凹部の屋外側縁部には、居住者の介護の必要に応じて、該凹部と屋外とを仕切る補助外壁が前記他の外壁と連続して立設可能となっていることを特徴とする建物。
【発明の詳細な説明】
【技術分野】
【０００１】
本発明は、高齢者や身体障害者など、体の不自由な人が将来的に居住する場合に配慮した住宅等の建物を供給する技術に関する。
【背景技術】
【０００２】
一般住宅を建築する場合、建築時において居住者に介護の必要がなければ、予め要介護者が出現することを見越した要介護者用の建物を積極的に建築する動機に乏しい。また、仮に要介護者が出現することを見越して、要介護者用の機能を備えた建物を建築した場合であっても、要介護者が出現するまでは介護用の機能を十分に発揮できない。そこで、後から改築すると大幅に改築が必要となってしまう箇所については予め介護を想定した構造とし、それ以外の箇所については要介護者が出現した場合に介護に適した構造となるような機能を有する建物が知られている（例えば、特許文献１参照）。
【先行技術文献】
【特許文献】
【０００３】
【特許文献１】特開２００８−０３８５１０号公報
【発明の概要】
【発明が解決しようとする課題】
【０００４】
ところで、特に車椅子等を必要とする高齢者や要介護者にとっては、例えば夜間などにおいて、寝室からトイレに最短距離で直ぐに行けることが重要となる。
しかし、居住者が介護を必要としない期間は、直ぐにトイレに行けることよりも、例えば来客時などにおいて、トイレの音やトイレの存在を意識しにくいことの方が重要視される場合がある。このため、居住者が介護を必要としない期間にはトイレの存在を意識しにくく、居住者に介護が必要な期間には居住者の介護がしやすくなるような機能を備えた建物が望まれている。
【０００５】
本発明の課題は、居住者が介護を必要としない期間はトイレの存在を意識しにくく、居住者に介護が必要な期間は居住者の介護がしやすくなるような機能を備えた建物を提供することを目的とする。
【課題を解決するための手段】
【０００６】
請求項１に記載の発明は、例えば図１〜図９に示すように、平面視略Ｌ字状に形成された水廻り設備室１０と、この水廻り設備室１０の入隅部１１側に隣接する寝室２０とを備えており、
前記水廻り設備室１０は、この平面視略Ｌ字状の水廻り設備室１０の角部付近に位置する洗面所１４と、この洗面所１４に隣接するとともに前記水廻り設備室１０の一端側に位置する浴室１５と、この洗面所１４に隣接するとともに前記水廻り設備室１０の他端側に位置するトイレ１６とを有しており、
前記水廻り設備室１０の入隅部１１を形成する壁１２，１３のうち、一方の壁１２には前記洗面所１４と寝室２０とを連通する第１開口部１２ａが形成されており、他方の壁１３には前記トイレ１６と寝室２０とを連通するとともに、該他方の壁１３が立設される床面から天井までの高さに設定された第２開口部１３ａが形成されており、
前記第２開口部１３ａには、この第２開口部１３ａを閉塞して壁として機能するとともに、居住者の介護の必要に応じて、該第２開口部１３ａの閉塞状態を解除可能に設定された閉塞手段１，２，３が設けられていることを特徴とする。
【０００７】
請求項１に記載の発明によれば、平面視略Ｌ字状に形成された水廻り設備室１０と、この水廻り設備室１０の入隅部１１側に隣接する寝室２０とを備えており、前記水廻り設備室１０はトイレ１６を有しているので、このトイレ１６と前記寝室２０とを隣接して配置することができる。したがって、例えば夜間に頻尿の症状が見られる場合などに都合がよい。
また、前記水廻り設備室１０の入隅部１１を形成する壁１２，１３のうち、他方の壁１３には前記第２開口部１３ａが形成されており、この第２開口部１３ａには前記閉塞手段１，２，３が設けられていることから、居住者が介護を必要としない期間には、前記閉塞手段１，２，３によって前記第２開口部１３ａを閉塞し、壁として用いることができる。したがって、前記寝室２０からトイレ１６に行く際は、前記一方の壁１２に形成された第１開口部１２ａから前記洗面所１４へと入り、この洗面所１４から前記トイレ１６へと回り込むように進むことになるので、トイレ１６に行ったように見えにくくなり、例えば来客時などに、トイレ１６の存在を意識しにくくなる。
さらに、居住者に介護が必要な期間には、前記閉塞手段１，２，３による前記第２開口部１３ａの閉塞状態を解除することによって、この第２開口部１３ａを、前記トイレ１６と寝室２０とを行き来するための出入口として用いることができ、この第２開口部１３ａを通過するルートが前記トイレ１６と寝室２０とを結ぶ最短ルートとなるので、介護者による居住者の介護がしやすくなる。
【０００８】
請求項２に記載の発明は、例えば図１〜図５に示すように、請求項１に記載の建物において、
前記閉塞手段１は、前記他方の壁１３が立設される床面から天井付近までの高さに設定されるとともに、前記第２開口部１３ａを開閉するための引き戸１であることを特徴とする。
【０００９】
請求項２に記載の発明によれば、前記閉塞手段１は、前記他方の壁１３が立設される床面から天井付近までの高さに設定されるとともに、前記第２開口部１３ａを開閉するための引き戸１であることから、この引き戸１を、前記第２開口部１３ａを閉塞する壁として機能させるか、または、前記第２開口部１３ａを開閉する扉として機能させるかの切り替えが容易となる。
また、前記引き戸１は、前記他方の壁１３が立設される床面から天井付近までの高さに設定されているので、前記第２開口部１３ａを閉塞した状態において、壁として認識されやすくなる。
【００１０】
請求項３に記載の発明は、例えば図６および図７に示すように、請求項１に記載の建物において、
前記閉塞手段２は、前記第２開口部１３ａを閉塞するようにして前記他方の壁１３ａに連続して立設配置される補助間仕切壁２であることを特徴とする。
【００１１】
請求項３に記載の発明によれば、前記閉塞手段２は、前記第２開口部１３ａを閉塞するようにして前記他方の壁１３ａに連続して立設配置される補助間仕切壁２であることから、居住者が介護を必要としない期間において、前記第２開口部１３ａを確実に閉塞することができる。
【００１２】
請求項４に記載の発明は、例えば図８および図９に示すように、請求項１に記載の建物において、
前記閉塞手段３は、前記第２開口部１３ａを閉塞するようにして前記他方の壁１３に連続して立設配置される収納棚３であることを特徴とする。
【００１３】
請求項４に記載の発明によれば、前記閉塞手段３は、前記第２開口部１３ａを閉塞するようにして前記他方の壁１３に連続して立設配置される収納棚３であることから、居住者が介護を必要としない期間において、前記第２開口部１３ａを確実に閉塞できるだけでなく、物品の収納を行うことができ、利便性が高い。
【００１４】
請求項５に記載の発明は、例えば図１〜図４，図６〜図９に示すように、請求項１〜４のいずれか一項に記載の建物において、
前記第２開口部１３ａは、前記他方の壁１３の幅方向の左側または右側に形成されていることを特徴とする。
【００１５】
請求項５に記載の発明によれば、前記第２開口部１３ａは、前記他方の壁１３の幅方向の左側または右側に形成されているので、建物を、前記第２開口部１３ａとトイレ１６内の便器との位置関係や、建物内の間取り等を考慮した構造にすることができる。さらに、居住者が前記寝室２０からトイレ１６へと進む際の利便性を考慮した構造にすることができる。
【００１６】
請求項６に記載の発明は、例えば図５に示すように、請求項１〜４のいずれか一項に記載の建物において、
前記第２開口部１３ａの開口面積は、前記他方の壁１３の寝室２０側面の面積と略等しくなるように設定されていることを特徴とする。
【００１７】
請求項６に記載の発明によれば、前記第２開口部１３ａの開口面積は、前記他方の壁１３の寝室２０側面の面積と略等しくなるように設定されているので、前記第２開口部１３ａを大きく開け放つことができ、車椅子等でも前記寝室２０とトイレ１６との行き来がしやすくなる。
【００１８】
請求項７に記載の発明は、例えば図４および図５に示すように、請求項１〜６のいずれか一項に記載の建物において、
前記トイレ１６には、使用者が身体の側部を前記他方の壁１３に向けて着座可能な便器１６ａ、または、使用者が前記他方の壁１３に向かって着座可能な便器１６ｂが設置されていることを特徴とする。
【００１９】
請求項７に記載の発明によれば、前記トイレ１６に、使用者が身体の側部を前記他方の壁１３に向けて着座可能な便器１６ａ、または、使用者が前記他方の壁１３に向かって着座可能な便器１６ｂが設置されているので、居住者が適宜選択でき、前記トイレ１６を利用する際の利便性を考慮したものにすることができる。
【００２０】
請求項８に記載の発明は、例えば図１，図２，図４〜図６，図８に示すように、請求項１〜７のいずれか一項に記載の建物において、
前記洗面所１４とトイレ１６との間には、これら洗面所１４とトイレ１６とを連通する第３開口部１７ａが形成された間仕切壁１７が立設されており、この間仕切壁１７は、前記一方の壁１２の延長線上に配置されていることを特徴とする。
【００２１】
請求項８に記載の発明によれば、前記洗面所１４とトイレ１６との間には、これら洗面所１４とトイレ１６とを連通する第３開口部１７ａが形成された間仕切壁１７が立設されており、この間仕切壁１７は、前記一方の壁１２の延長線上に配置されているので、居住者が介護を必要としない期間に、前記寝室２０からトイレ１６に行く際は、前記一方の壁１２に形成された第１開口部１２ａから前記洗面所１４へと入り、この洗面所１４から前記トイレ１６へと回り込むように進むことになるので、トイレ１６に行ったように見えにくくなり、例えば来客時などに、トイレ１６の存在を、より意識しにくくなる。
【００２２】
請求項９に記載の発明は、例えば図１，図２，図４〜図６，図８に示すように、請求項１〜８のいずれか一項に記載の建物において、
外壁３０の一部が他の外壁３０よりも室内側に後退することによって形成されるとともに屋外に面する凹部３１を備えており、
この凹部３１の屋外側縁部には、居住者の介護の必要に応じて、該凹部３１と屋外とを仕切る補助外壁３２が前記他の外壁３０と連続して立設可能となっていることを特徴とする。
【００２３】
請求項９に記載の発明によれば、前記凹部３１の屋外側縁部には、居住者の介護の必要に応じて、該凹部３１と屋外とを仕切る補助外壁３２が前記他の外壁３０と連続して立設可能となっているので、前記補助外壁３２によって、前記凹部３１と屋外とを確実に仕切ることができ、この凹部３１を建物内の一空間として機能させることができる。これによって、この凹部３１を新しい収納スペースや居住者を介護する介護者の予備室等として用いることができる。
【発明の効果】
【００２４】
本発明によれば、平面視略Ｌ字状に形成された水廻り設備室と、この水廻り設備室の入隅部側に隣接する寝室とを備えており、水廻り設備室はトイレを有しているので、このトイレと寝室とを隣接して配置することができる。したがって、例えば夜間に頻尿の症状が見られる場合などに都合がよい。
また、水廻り設備室の入隅部を形成する壁のうち、他方の壁には第２開口部が形成されており、この第２開口部には閉塞手段が設けられていることから、居住者が介護を必要としない期間には、閉塞手段によって第２開口部を閉塞し、壁として用いることができる。したがって、寝室からトイレに行く際は、一方の壁に形成された第１開口部から洗面所へと入り、この洗面所からトイレへと回り込むように進むことになるので、トイレに行ったように見えにくくなり、例えば来客時などに、トイレの存在を意識しにくくなる。
さらに、居住者に介護が必要な期間には、閉塞手段による第２開口部の閉塞状態を解除することによって、この第２開口部を、トイレと寝室とを行き来するための出入口として用いることができ、この第２開口部を通過するルートがトイレと寝室とを結ぶ最短ルートとなるので、介護者による居住者の介護がしやすくなる。
【図面の簡単な説明】
【００２５】
【図１】本発明の建物の第１の実施の形態であり、第２開口部を閉塞している状態を示す伏図である。
【図２】本発明の建物の第１の実施の形態であり、第２開口部を閉塞する前の段階を示す伏図である。
【図３】図１に示す第１開口部および閉塞手段付近を示す斜視図である。
【図４】他方の壁および第２開口部付近の他の例を示す要部拡大伏図である。
【図５】他方の壁および第２開口部付近の他の例を示す要部拡大伏図である。
【図６】本発明の建物の第２の実施の形態であり、第２開口部を閉塞している状態を示す伏図である。
【図７】図６に示す第１開口部および閉塞手段付近を示す斜視図である。
【図８】本発明の建物の第３の実施の形態であり、第２開口部を閉塞している状態を示す伏図である。
【図９】図８に示す第１開口部および閉塞手段付近を示す斜視図である。
【発明を実施するための形態】
【００２６】
以下、図面を参照して本発明の実施の形態について説明する。
なお、本実施の形態の建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２７】
また、このパネルとは、図示はしないが、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２８】
（第１の実施の形態）
本実施の形態の建物は、図１〜図３に示すように、平面視略Ｌ字状に形成された水廻り設備室１０と、この水廻り設備室１０の入隅部１１側に隣接する寝室２０とを備えており、前記水廻り設備室１０は、この平面視略Ｌ字状の水廻り設備室１０の角部付近に位置する洗面所１４と、この洗面所１４に隣接するとともに前記水廻り設備室１０の一端側に位置する浴室１５と、この洗面所１４に隣接するとともに前記水廻り設備室１０の他端側に位置するトイレ１６とを有している。
そして、前記水廻り設備室１０の入隅部１１を形成する壁１２，１３のうち、一方の壁１２には前記洗面所１４と寝室２０とを連通する第１開口部１２ａが形成されており、他方の壁１３には前記トイレ１６と寝室２０とを連通するとともに、該他方の壁１３が立設される床面から天井までの高さに設定された第２開口部１３ａが形成されており、この第２開口部１３ａには、この第２開口部１３ａを閉塞して壁として機能するとともに、居住者の介護の必要に応じて、該第２開口部１３ａの閉塞状態を解除可能に設定された閉塞手段である引き戸１が設けられている。
【００２９】
ここで、図１に示す建物は、居住者が介護を必要としない期間におけるものであり、図２に示す建物は、居住者に介護が必要な期間におけるものである。
また、本実施の形態の建物は、いわゆるバリアフリー設計がなされ、屋外と建物内との間や建物内に、車椅子や高齢者の移動を妨げる段差が少なく、かつ小さくなっている。
【００３０】
上述のように、前記水廻り設備室１０は、平面視略Ｌ字状に形成されており、前記寝室２０は、前記水廻り設備室１０の入隅部１１側に隣接している。
そして、これら水廻り設備室１０と寝室２０とを含む建物内のスペースは、前記水廻り設備室１０のトイレ１６に隣接するとともに前記寝室２０に隣接する収納所２１を備えて矩形状に形成されている。
【００３１】
また、図１および図２に示すように、前記寝室２０の隣にはリビング・ダイニング４０が配置されており、このリビング・ダイニング４０に隣接してキッチン４１と、玄関４２と、収納所４３と、凹部３１とが配置されている。
【００３２】
この凹部３１は、他の外壁３０と直交する方向に隣接配置されるとともに、互いに対向する二つの外壁面３１ａ，３１ａと、これら対向する二つの外壁面３１ａ，３１ａ間に設けられる中央外壁面３１ｂとを備えることによって、外壁３０の一部が他の外壁３０よりも室内側に後退することによって形成されるとともに屋外に面するものである。また、前記中央外壁面３１ｂ側に形成された開口部３１ｃには戸が設けられている。
そして、この凹部３１の屋外側縁部には、居住者の介護の必要に応じて、該凹部３１と屋外とを仕切る補助外壁３２が前記他の外壁３０と連続して立設可能となっている。
【００３３】
すなわち、前記補助外壁３２によって、前記凹部３１と屋外とを確実に仕切ることができ、この凹部３１を建物内の一空間として機能させることができる。これによって、この凹部３１を新しい収納スペースや居住者を介護する介護者の予備室等として用いることができる。
【００３４】
また、前記凹部３１を、ホームヘルパー等の介護者の予備室として用いる場合は、介護者の出入りを行うために、前記補助外壁３２に、屋外と連通する開口部３２ａを形成してもよいものとする。さらに、前記中央外壁面３１ｂ側の壁にも、開口部３３ａが形成された増設間仕切壁３３を設置し、引き戸３３ｂによって凹部３１とリビング・ダイニング４０とを仕切るようにすることが好ましい。これによって、建物内に、前記寝室２０やリビング・ダイニング４０等から分離した介護者ためのスペースを形成できるので、前記凹部３１を、介助以外の作業等を行う際に使用できる。
【００３５】
一方、前記水廻り設備室１０の入隅部１１は、前記一方の壁１２と、この一方の壁１２と直交する方向に隣接配置される前記他方の壁１３とによって構成されている。
また、図１および図２に示すように、前記洗面所１４とトイレ１６との間には、これら洗面所１４とトイレ１６とを連通する第３開口部１７ａが形成された間仕切壁１７が立設されており、この間仕切壁１７は、前記一方の壁１２の延長線上に配置されている。これによって、居住者が介護を必要としない期間に、前記寝室２０からトイレ１６に行く際は、前記一方の壁１２に形成された第１開口部１２ａから前記洗面所１４へと入り、この洗面所１４から前記トイレ１６へと回り込むように進むことになるので、トイレ１６に行ったように見えにくくなり、例えば来客時などに、トイレ１６の存在を意識しにくくなる。
【００３６】
なお、居住者が介護を必要としない期間においては、図１に示すように前記第３開口部１７ａに、この第３開口部１７ａを開閉するドア１７ｂが設けられており、居住者に介護が必要な期間においては、図２に示すように前記第３開口部１７ａを開閉するアコーディオンドア１７ｃが設けられている。
【００３７】
また、本実施の形態において、前記第１開口部１２ａおよび第２開口部１３ａは、前記一方の壁１２と他方の壁１３との交点の近傍に設けられている。
さらに、前記第１開口部１２ａには、この第１開口部１２ａを開閉する引き戸１２ｂが設けられており、前記第２開口部１３ａには、この第２開口部１３ａを開閉する前記引き戸１が設けられている。
【００３８】
この引き戸１は、図３に示すように、前記他方の壁１３が立設される床面から天井付近までの高さに設定されており、前記第２開口部１３ａを閉塞した状態において、壁として認識されやすい。また、このような引き戸１によれば、前記第２開口部１３ａを閉塞する壁として機能させるか、または、前記第２開口部１３ａを開閉する扉として機能させるかの切り替えが容易となる。つまり、居住者に介護が必要な期間が来た際に即座に対応することができる。
【００３９】
また、この引き戸１の側端縁には、該引き戸１の高さ方向に沿って長尺な手掛かり部１ａが設けられている。このような手掛かり部１ａは、前記引き戸１の高さ方向に沿って長尺であるため、前記他方の壁１３が立設される床面から天井付近までの長さに設定されることとなるので、壁１３の一部として認識される場合があり、手掛かり部１ａとは認識しにくくなっている。このため、前記引き戸１によって前記第２開口部１３ａを閉塞することによって、この引き戸１を壁として機能させることができる。
さらに、前記他方の壁１３は、前記引き戸１を収納する戸袋１３ｂを備えており、前記引き戸１を収納可能となっている。
【００４０】
また、この引き戸１には、図示はしないが、前記トイレ１６側から操作可能な錠が設けられているものとする。つまり、この錠をかけることによって前記引き戸１を前記寝室２０側から開け閉めできないようにすることができるので、該引き戸１を、より一層、壁として認識させやすくなる。
【００４１】
なお、本実施の形態において、前記第１開口部１２ａおよび第２開口部１３ａは、図１〜図３に示すように、前記一方の壁１２と他方の壁１３との交点の近傍に設けられているとしたが、これに限られるものではない。すなわち、前記第２開口部１３ａを、前記他方の壁１３の幅方向の左側に形成するだけに限られず、前記他方の壁１３の幅方向の右側に形成してもよい。
前記第２開口部１３ａを、前記他方の壁１３の幅方向の右側に形成することによって、本実施の形態においては、前記寝室２０に設置されたベッドと、トイレ１６との距離を縮めることができるので好ましい。
【００４２】
また、このように前記第２開口部１３ａを、前記他方の壁１３の幅方向の左側または右側に形成するだけに限られず、前記第２開口部１３ａの開口面積を、前記他方の壁１３の寝室２０側面の面積と略等しくなるように設定して、該第２開口部１３ａを大きく開け放つことができるようにしてもよい。これにより、車椅子等でも前記寝室２０とトイレ１６との行き来がしやすくなる。
【００４３】
また、図１および図２に示すように、前記トイレ１６には、使用者が身体の側部を前記他方の壁１３に向けて着座可能な便器１６ａが設置されている。さらに、この便器１６ａの近傍には手摺り１６ｃが設けられている。
なお、図４および図５に示すように、前記トイレ１６には、使用者が前記他方の壁１３に向かって着座可能な便器１６ｂが設置されていてもよいものとする。
つまり、前記便器１６ａが設置される向きは、前記トイレ１６を利用する際の利便性を考慮して、居住者が適宜選択できるものとする。
【００４４】
さらに、前記使用者が前記他方の壁１３に向かって着座可能な便器１６ｂを、前記トイレ１６の中央付近に配置することによって、居住者の身体の麻痺が左側であっても右側であっても対応できるようにしてもよい。
このように居住者の身体の麻痺に対応する他の案としては、例えば、前記収納所２１に先行配管を設けておき、使用者が身体の側部を前記他方の壁１３に向けて着座可能な便器１６ａの設置場所を前記トイレ１６から前記収納所２１内に向きを反転させて設けるようにしてもよい。
【００４５】
さらに、本実施の形態の閉塞手段１は引き戸１であるとしたが、これに限られるものではなく、例えば、引き戸と略同様の開口部の開閉方式を採用したものであればよい。すなわち、扉本体を左右にスライド操作させるものであればよい。
【００４６】
本実施の形態によれば、平面視略Ｌ字状に形成された水廻り設備室１０と、この水廻り設備室１０の入隅部１１側に隣接する寝室２０とを備えており、前記水廻り設備室１０はトイレ１６を有しているので、このトイレ１６と前記寝室２０とを隣接して配置することができる。したがって、例えば夜間に頻尿の症状が見られる場合などに都合がよい。
また、前記水廻り設備室１０の入隅部１１を形成する壁１２，１３のうち、他方の壁１３には前記第２開口部１３ａが形成されており、この第２開口部１３ａには前記引き戸１が設けられていることから、居住者が介護を必要としない期間には、前記引き戸１によって前記第２開口部１３ａを閉塞し、壁として用いることができる。したがって、前記寝室２０からトイレ１６に行く際は、前記一方の壁１２に形成された第１開口部１２ａから前記洗面所１４へと入り、この洗面所１４から前記トイレ１６へと回り込むように進むことになるので、トイレ１６に行ったように見えにくくなり、例えば来客時などに、トイレ１６の存在を意識しにくくなる。
さらに、居住者に介護が必要な期間には、前記引き戸１による前記第２開口部１３ａの閉塞状態を解除することによって、この第２開口部１３ａを、前記トイレ１６と寝室２０とを行き来するための出入口として用いることができ、この第２開口部１３ａを通過するルートが前記トイレ１６と寝室２０とを結ぶ最短ルートとなるので、介護者による居住者の介護がしやすくなる。
【００４７】
（第２の実施の形態）
次に、図面を参照して本発明の第２の実施の形態について説明する。なお、説明の便宜上、上述した第１の実施の形態とは異なる構成部分のみについて説明する。
【００４８】
本実施の形態の閉塞手段は、図６および図７に示すように、前記第２開口部１３ａを閉塞するようにして前記他方の壁１３ａに連続して立設配置される補助間仕切壁２である。
【００４９】
この補助間仕切壁２は、前記第２開口部１３ａの開口面積と略等しい大きさに設定されている。また、建物の躯体は上述のようにパネル工法によって構築されるが、この補助間仕切壁２は、簡単に組み付け、または取り外しができるように軸組みによって組み立てられる壁とする。
【００５０】
つまり、図示はしないが、上下に離間する下階床パネルと上階床パネルとの間に設けられる前記第２開口部１３ａ内に、この第２開口部１３ａの上下方向の長さと略等しい長さに設定された柱を、前記第２開口部１３ａの横方向に沿って複数並設するとともに、これら複数の柱の寝室２０側面およびトイレ１６側面に面材を貼り付ける。
なお、前記複数の柱間に、水平な補助桟材を設けて強度を高めるようにしてもよいし、前記複数の柱間に断熱材を装填して、断熱性を向上させるようにしてもよい。
【００５１】
本実施の形態によれば、第１の実施の形態と同じ効果を得ることができるとともに、前記閉塞手段２は、前記第２開口部１３ａを閉塞するようにして前記他方の壁１３ａに連続して立設配置される補助間仕切壁２であることから、居住者が介護を必要としない期間において、前記第２開口部１３ａを確実に閉塞することができる。
【００５２】
（第３の実施の形態）
次に、図面を参照して本発明の第２の実施の形態について説明する。なお、説明の便宜上、上述した第１および第２の実施の形態とは異なる構成部分のみについて説明する。
【００５３】
本実施の形態の閉塞手段は、図８および図９に示すように、前記第２開口部１３ａを閉塞するようにして前記他方の壁１３に連続して立設配置される収納棚３である。
【００５４】
この収納棚３は、前記他方の壁１３が立設される床面から天井までの高さを有する少なくとも２枚の側板３ａ，３ａが、前記第２開口部１３ａの両側縁部に立設されており、これら側板３ａ，３ａの上端部間に、天井に当接する天板３ｂが取り付けられるとともに、複数の側板３ａ，３ａの下端部間に、床面に当接する地板３ｃが取り付けられ、さらに前記側板３ａ，３ａ間に、これら側板３ａ，３ａ間に架け渡される棚板３ｄが上下方向に間隔をあけて複数取り付けられている。さらに、この収納棚３の下部には、該収納棚３の下部の収納箇所を閉塞する戸３ｅ，３ｅが設けられている。
【００５５】
このような収納棚３は、居住者が介護を必要としない期間においては、上述のように前記第２開口部１３ａを閉塞するようにして前記他方の壁１３に連続して立設配置されているが、居住者に介護が必要な期間においては、前記第２開口部１３ａの閉塞状態を解除できるように、例えば、各部屋の壁際に移設されるようになっている。
すなわち、この収納棚３を移設するということは、この収納棚３を撤去するということではないため、収納スペース自体を減らすことを防ぐことができ、該収納棚３に収納されていた物品を処分すたり、新たな収納スペースを準備する必要がない。
【００５６】
本実施の形態によれば、第１の実施の形態と同じ効果を得ることができるとともに、前記閉塞手段３は、前記第２開口部１３ａを閉塞するようにして前記他方の壁１３に連続して立設配置される収納棚３であることから、居住者が介護を必要としない期間において、前記第２開口部１３ａを確実に閉塞できるだけでなく、物品の収納を行うことができ、利便性が高い。
【符号の説明】
【００５７】
１  閉塞手段（引き戸）
２  閉塞手段（補助間仕切壁）
３  閉塞手段（収納棚）
１０  水廻り設備室
１１  入隅部
１２  一方の壁
１２ａ  第１開口部
１３  他方の壁
１３ａ  第２開口部
１４  洗面所
１５  浴室
１６  トイレ
２０  寝室
【図１】
2010159600.tif 000003
【図２】
2010159600.tif 000004
【図３】
2010159600.tif 000005
【図４】
2010159600.tif 000006
【図５】
2010159600.tif 000007
【図６】
2010159600.tif 000008
【図７】
2010159600.tif 000009
【図８】
2010159600.tif 000010
【図９】
2010159600.tif 000011